(57)【要約】【課題】様々なソーラーパネルの設置レイアウトに対応可能であると共に、耐荷重性能に優れ、撤去も容易な折板屋根用ソーラーパネル取付装置を提供すること。【解決手段】ルーフボルト２と支持金具５とを備え、支持金具５は、折板屋根１上に載置可能な載置底面部７と，ルーフボルト２のパッキン付座金４より上方側を挿通して芯ボルト３の上部を上方へ突出させる挿通孔部８とを有するベース体６と、ベース体６上に配設され上部にソーラーパネル11を支持可能な支持部10が設けられているパネル支持体９とから成り、ベース体６に対しパネル支持体９がスライド移動自在に設けられ、パネル支持体９のスライド移動によりベース体６上に露出する芯ボルト３の上部に固定ナット12を螺着し締め付けることで固定可能な折板屋根用ソーラーパネル取付装置。【選択図】図１
2019148075.tif 000002
【特許請求の範囲】
【請求項１】
折板屋根に貫通させる芯ボルトの途中に，折板屋根上面に当接させるパッキン付座金が設けられている折板屋根に固定可能なルーフボルトと、このルーフボルトを介して折板屋根上に固定される支持金具とを備えた折板屋根用ソーラーパネル取付装置であって、前記支持金具は、折板屋根上に載置可能な載置底面部と，この載置底面部を折板屋根上に載置した際に折板屋根に固定されている前記ルーフボルトのパッキン付座金とパッキン付座金より上方側を挿通して芯ボルトの上部を上方へ突出させる挿通孔部とを有するベース体と、このベース体の上部に露出する前記挿通孔部を覆い隠すようにしてベース体上に配設され上部にソーラーパネルを支持可能な支持部が設けられているパネル支持体とから成るとともに、ベース体に対しパネル支持体がスライド移動自在若しくは起動回動移動自在に設けられていて、このパネル支持体のスライド移動若しくは起動回動移動により挿通孔部とともにベース体上に露出する芯ボルトの上部に、固定ナットを螺着し締め付けることで、ルーフボルトに前記支持金具を固定し得るように構成されていることを特徴とする折板屋根用ソーラーパネル取付装置。
【請求項２】
前記挿通孔部は、前記ベース体に一つ設けられていることを特徴とする請求項１記載の折板屋根用ソーラーパネル取付装置。
【請求項３】
前記ベース体は、下板部と上板部とが上下に対設する形状に形成され、この下板部の下面に前記載置底面部が設けられ、この載置底面部を介してベース体を折板屋根上に載置した際に、折板屋根に固定された前記ルーフボルトのパッキン付座金とこのパッキン付座金より上方側を挿通可能な座金挿通孔が前記下板部に設けられているとともに、前記芯ボルトの上部を挿通して前記上板部より上方へ突出配設可能な芯ボルト挿通孔が前記上板部に設けられていて、この座金挿通孔と芯ボルト挿通孔とが前記挿通孔部として構成されていることを特徴とする請求項１，２のいずれか１項に記載の折板屋根用ソーラーパネル取付装置。
【請求項４】
前記ベース体は、下板部と上板部とが間隔を置いて上下に対設する中空形状に形成され、この下板部と上板部の間の空間部が、前記ルーフボルトのパッキン付座金より上方側を収納配設可能な収納空間部として構成され、この収納空間部と前記座金挿通孔と前記芯ボルト挿通孔とが前記挿通孔部として構成されていることを特徴とする請求項３記載の折板屋根用ソーラーパネル取付装置。
【請求項５】
前記ベース体に長孔形状のガイド孔が設けられ、このガイド孔と連通させる長孔形状の合わせ孔が前記パネル支持体に設けられ、このガイド孔と合わせ孔とを連通させた連通孔部にガイドボルトが貫通配設されて、このガイドボルトに対しガイド孔と合わせ孔とが移動可能な範囲内でベース体に対しパネル支持体がスライド移動可能に構成されていると共に、このガイドボルトの締付若しくはガイドボルトに螺着した締付ナットの締付によりベース体に対しパネル支持体がスライド移動不能状態となるように構成されていることを特徴とする請求項１〜４のいずれか１項に記載の折板屋根用ソーラーパネル取付装置。
【発明の詳細な説明】
【技術分野】
【０００１】
本発明は、重ね式折板屋根上にソーラーパネルを取付けるために使用される折板屋根用ソーラーパネル取付装置に関するものである。
【背景技術】
【０００２】
重ね式折板屋根上にソーラーパネルを取付けるための取付装置としては、従来、特許第５６９１４７９号（特許文献１）がある。
【０００３】
この特許文献１を簡単に説明すると、重ね式折板屋根の山部に突出する剣先ボルトに断面凹型の下部分割体がナット止めされ、この下部分割体に断面逆凹型の上部分割体が外嵌され、上部分割体と下部分割体の隣接する左右側壁がボルトで連結されたソーラーパネルの支持金具であって、折板屋根上に縦横に間隔を置いて固定されたこの支持金具に、上部分割体の天板に突設したボルトを利用して架台を介しソーラーパネルを固定するか、若しくは直接ソーラーパネルを固定し得るように構成されている。
【先行技術文献】
【特許文献】
【０００４】
【特許文献１】特許第５６９１４７９号公報
【発明の概要】
【発明が解決しようとする課題】
【０００５】
上記特許文献１は、屋根上の固定位置が剣先ボルトのある位置に限られるため、ソーラーパネルの設置条件には制約がある。
【０００６】
また、既存の折板屋根が設置対象の場合、剣先ボルトが経年劣化により折れていたり酷く錆びていたりすると、設置できない（ナット止めできない）こともあった。
【０００７】
本発明は、この点、ルーフボルトを用いて、新設にも既設にも折板屋根上の自由な位置に固定できて様々なソーラーパネルの設置レイアウトに対応可能であると共に、耐荷重性能にも優れ、撤去も容易な折板屋根用ソーラーパネル取付装置を提供するものである。
【課題を解決するための手段】
【０００８】
添付図面を参照して本発明の要旨を説明する。
【０００９】
折板屋根１に貫通させる芯ボルト３の途中に，折板屋根１上面に当接させるパッキン付座金４が設けられている折板屋根１に固定可能なルーフボルト２と、このルーフボルト２を介して折板屋根１上に固定される支持金具５とを備えた折板屋根用ソーラーパネル取付装置であって、前記支持金具５は、折板屋根１上に載置可能な載置底面部７と，この載置底面部７を折板屋根１上に載置した際に折板屋根１に固定されている前記ルーフボルト２のパッキン付座金４とパッキン付座金４より上方側を挿通して芯ボルト３の上部を上方へ突出させる挿通孔部８とを有するベース体６と、このベース体６の上部に露出する前記挿通孔部８を覆い隠すようにしてベース体６上に配設され上部にソーラーパネル11を支持可能な支持部10が設けられているパネル支持体９とから成るとともに、ベース体６に対しパネル支持体９がスライド移動自在若しくは起動回動移動自在に設けられていて、このパネル支持体９のスライド移動若しくは起動回動移動により挿通孔部８とともにベース体６上に露出する芯ボルト３の上部に、固定ナット12を螺着し締め付けることで、ルーフボルト２に前記支持金具５を固定し得るように構成されていることを特徴とする折板屋根用ソーラーパネル取付装置に係るものである。
【００１０】
また、前記挿通孔部８は、前記ベース体６に一つ設けられていることを特徴とする請求項１記載の折板屋根用ソーラーパネル取付装置に係るものである。
【００１１】
また、前記ベース体６は、下板部13と上板部14とが上下に対設する形状に形成され、この下板部13の下面に前記載置底面部７が設けられ、この載置底面部７を介してベース体６を折板屋根１上に載置した際に、折板屋根１に固定された前記ルーフボルト２のパッキン付座金４とこのパッキン付座金４より上方側を挿通可能な座金挿通孔15が前記下板部13に設けられているとともに、前記芯ボルト３の上部を挿通して前記上板部14より上方へ突出配設可能な芯ボルト挿通孔16が前記上板部14に設けられていて、この座金挿通孔15と芯ボルト挿通孔16とが前記挿通孔部８として構成されていることを特徴とする請求項１，２のいずれか１項に記載の折板屋根用ソーラーパネル取付装置に係るものである。
【００１２】
また、前記ベース体６は、下板部13と上板部14とが間隔を置いて上下に対設する中空形状に形成され、この下板部13と上板部14の間の空間部17が、前記ルーフボルト２のパッキン付座金４より上方側を収納配設可能な収納空間部17として構成され、この収納空間部17と前記座金挿通孔15と前記芯ボルト挿通孔16とが前記挿通孔部８として構成されていることを特徴とする請求項３記載の折板屋根用ソーラーパネル取付装置に係るものである。
【００１３】
また、前記ベース体６に長孔形状のガイド孔18が設けられ、このガイド孔18と連通させる長孔形状の合わせ孔19が前記パネル支持体９に設けられ、このガイド孔18と合わせ孔19とを連通させた連通孔部にガイドボルト20が貫通配設されて、このガイドボルト20に対しガイド孔18と合わせ孔19とが移動可能な範囲内でベース体６に対しパネル支持体９がスライド移動可能に構成されていると共に、このガイドボルト20の締付若しくはガイドボルト20に螺着した締付ナット21の締付によりベース体６に対しパネル支持体９がスライド移動不能状態となるように構成されていることを特徴とする請求項１〜４のいずれか１項に記載の折板屋根用ソーラーパネル取付装置に係るものである。
【発明の効果】
【００１４】
本発明は上述のように構成したから、パネル支持体をベース体に対しスライド移動させるか若しくは起伏回動移動させることにより、ルーフボルトと固定ナットを用いて支持金具を折板屋根上に強固に固定でき、新設，既設を問わず折板屋根に容易に固定できると共に、折板屋根の自由な位置に固定可能であるので、様々なソーラーパネルの設置レイアウトに対応でき、また、支持金具（のベース体）が折板屋根上に直接載置された状態で固定されるので、高い耐荷重性を発揮でき、しかも元々止水構造（パッキン）を具備するルーフボルトが固定具として採用されているので、折板屋根のルーフボルト固定箇所への止水対策が不要となり、その上、ルーフボルトは、折板屋根上にあっても外観上違和感のないものであるため、ソーラーパネルを折板屋根上から撤去したい場合には、ルーフボルトを残してソーラーパネルと支持金具を撤去するだけで良く、撤去後の孔埋め加工や止水対策は基本的に不要であり、パッキン等の劣化が大きく止水対策を要する場合でも簡単な止水施工で足りることとなるなど、極めて実用性に優れた折板屋根用ソーラーパネル取付装置となる。
【００１５】
また、請求項２記載の発明においては、ルーフボルトの使用数が一装置につき一個で足りるので、低コスト化でき一層安価な製品を提供可能となる優れた構成の折板屋根用ソーラーパネル取付装置となる。
【００１６】
また、請求項３，４記載の発明においては、ルーフボルトのパッキン付座金とこのパッキン付座金より上方側を挿通して芯ボルトの上部を上方へ突出配設可能な挿通孔部を備えたベース体（支持金具）を、簡易構成にして容易に設計実現可能となる一層実用性に優れた構成の折板屋根用ソーラーパネル取付装置となる。
【００１７】
また、請求項５記載の発明においては、パネル支持体がベース体に対しスライド移動可能であると共に、ガイドボルト若しくは締付ナットの簡単な締付操作によりパネル支持体をベース体に対しスライド移動不能状態に位置決めできてパネル支持体にソーラーパネルを安定的に支持できる支持金具を、簡易構成にして容易に設計実現可能となる一層実用性に優れた構成の折板屋根用ソーラーパネル取付装置となる。
【図面の簡単な説明】
【００１８】
【図１】本実施例を示す斜視図である。
【図２】本実施例の支持金具を示す分解斜視図である。
【図３】本実施例の支持金具を示す底面図及び正断面図である。
【図４】本実施例のルーフボルトを折板屋根に固定し、このルーフボルトに対して、パネル支持体をスライド移動させて挿通孔部を露出させた状態の支持金具を取付けようとする状態を示す概略説明斜視図である。
【図５】図４に続いて、支持金具をルーフボルトに対して固定した状態を示す概略説明平面図である。
【図６】図５のＢ−Ｂ線断面図である。
【図７】図５，図６に続いて、パネル支持体をスライド移動して元に戻した状態（パネル支持体が挿通孔部及び芯ボルトの上部を覆い隠した状態）を示す概略説明斜視図である。
【図８】図７に続いて、支持部上にソーラーパネルの端部を支持して押え込み金具で取付固定した状態を示す説明側面図である。
【発明を実施するための形態】
【００１９】
好適と考える本発明の実施形態を、図面に基づいて本発明の作用を示して簡単に説明する。
【００２０】
先ず、折板屋根１に、ルーフボルト２を、その芯ボルト３を折板屋根１に貫通させるとともにパッキン付座金４を折板屋根１上面に当接させて固定する。
【００２１】
次いで、この折板屋根１に固定されたルーフボルト２の芯ボルト３のパッキン付座金４とこのパッキン付座金４より上方側を、ベース体６の挿通孔部８に挿通してこの挿通孔部８から芯ボルト３の上部をベース体６の上方へ突出させつつ、ベース体６の載置底面部７を折板屋根１上に載置する（折板屋根１上に支持金具５を載置する。）。
【００２２】
次いで、挿通孔部８を覆い隠すようにしてベース体６上に配設されているパネル支持体９をスライド移動させるか若しくは起動回動移動させると、挿通孔部８とともに芯ボルト３上部がベース体６上に露出した状態となり、この露出する芯ボルト３の上部に固定ナット12を螺着して締め付けることで、ルーフボルト２に前記ベース体６を固定できる（ルーフボルト２を介して折板屋根１上に支持金具５を固定できる。）。
【００２３】
尚、予めパネル支持体９をスライド移動させて挿通孔部８をベース体６上に露出させておき、この状態で、折板屋根１に固定されたルーフボルト２のパッキン付座金４を含んだ上方側をベース体６の挿通孔部８に挿通させるようにしても良い。
【００２４】
従って、本発明の折板屋根用ソーラーパネル取付装置は、既存のルーフボルト２を用いて新設、既設を問わず折板屋根１に容易に固定可能であり、しかもルーフボルト２は、折板屋根１の自由な位置に固定可能であるので、様々なソーラーパネル11の設置レイアウトに対応可能である。
【００２５】
また、本発明の支持金具５は、その載置底面部７を折板屋根１の上面に直接載置した状態で固定されるので、たとえルーフボルト２による固定箇所が一箇所であっても、折板屋根１上に強固に固定できるとともに、この支持金具５に加わるソーラーパネル11の荷重が折板屋根１にも直接的に且つ広い面積でもって支持されるために優れた耐荷重性を発揮できる。
【００２６】
次いで、パネル支持体９を元の状態に戻し（パネル支持体９をスライド移動させるか若しくは伏動回動させて挿通孔部８並びに芯ボルト３上部をパネル支持体９で覆い隠し）、パネル支持体９の支持部10上にソーラーパネル11を支持して取付固定可能である。
【００２７】
本発明の場合、元々止水構造（パッキン付座金４）を具備するルーフボルト２を折板屋根１への固定具として用いているので、折板屋根１への止水対策が不要となる。
【００２８】
また、ルーフボルト２は、折板屋根１上にあっても外観上違和感がないものであるから、ソーラーパネル11を折板屋根１上から撤去したい場合には、ルーフボルト２は残してソーラーパネル11と支持金具５を撤去するだけで良い。そして、撤去後の孔埋め作業や止水対策等は基本的に不要であり、ルーフボルト２のパッキン等の劣化が大きく止水対策が必要な場合であっても簡単な止水施工で足りることとなる。
【実施例】
【００２９】
本発明の具体的な実施例について図面に基づいて説明する。
【００３０】
本実施例の折板屋根用ソーラーパネル取付装置は、折板屋根１に固定可能なルーフボルト２と、このルーフボルト２を介して折板屋根１上に固定される支持金具５とから構成されている。
【００３１】
本実施例のルーフボルト２について説明すると、図１に示すように、芯ボルト３の先端側（下端側）に拡開スリーブ26とこの拡開スリーブ26を拡開するカラー27とが被嵌され、このカラー27より芯ボルト３の基端側（上端側）にパッキン付座金４が被嵌され、このパッキン付座金４より芯ボルト３の基端側にナット28が螺着された構成の既製品が採用されている。
【００３２】
本実施例では、このルーフボルト２の先端部を下向きにして重ね式折板屋根１の山部の平坦頂面に形成した図示省略の下孔に挿入し、芯ボルト３の上部（基端）を回り止め状態に固定しながらナット28を回転操作することにより、拡開スリーブ26をカラー27によって拡開させ、この拡開した拡開スリーブ26とパッキン付座金４との間に折板屋根１を挟み込むことにより折板屋根１に対し固定して使用する（図４参照）。
【００３３】
本実施例の支持金具５は、折板屋根１上に載置可能な載置底面部７と，この載置底面部７を折板屋根１上に載置した際に折板屋根１に固定されている前記ルーフボルト２のパッキン付座金４とこのパッキン付座金４より上方側を挿通して芯ボルト３の上部を上方へ突出させる挿通孔部８とを有するベース体６と、このベース体６の上部に露出する前記挿通孔部８を覆い隠すようにしてベース体６上に配設され上部にソーラーパネル11を支持可能な支持部10が設けられているパネル支持体９とから構成されているとともに、ベース体６に対しパネル支持体９がスライド移動自在に設けられている。
【００３４】
ベース体６は、金属製であって、図１，図２に示すように、折板屋根１の勾配方向に沿った長さを有する平面視長方形状の下板部13と、この下板部13と同形状の上板部14とが間隔を置いて上下に対設する中空形状体に形成されている。以下、本実施例では、このベース体６の長さ方向を支持金具５の前後方向と定めて説明する。
【００３５】
具体的には、前記下板部13には、左右両側の長手方向縁の近傍の上面に、この長手方向縁に沿った長さを有する接続片29が立設状態に連設（一体成形）され、一方、前記上板部14には、左右両側の長手方向縁にこの長手方向縁に沿った長さを有する受片30が垂設状態に連設（一体形成）されていて、この左右の受片30に左右の前記接続片29を係止することにより下板部13と上板部14とが取付けられて一体化され、正断面ロ字状をなし下板部13と上板部14とが間隔を置いて上下に対設する中空（空洞）形状のベース体６が構成されている。
【００３６】
また、上板部14には、図２に示すように、一側（図面手前側）の長手方向縁に沿って立上がり板部25が立設状態に連設（一体成形）され、この立上がり板部25には、上板部14の長さ方向に沿った長孔形状（前後方向に長さを有する孔形状）のガイド孔18が貫通形成されていると共に、このガイド孔18は、立上がり板部25の前後方向中ほどから棟側（後側）に至る範囲に形成されている。
【００３７】
また、下板部13の下面には、略全域に合成ゴム製の止水シート40（例えばブチルテープ）が付設されていて、この止水シート40の下面が折板屋根１上に馴染んで且つ止水状態で載置可能な前記載置底面部７として構成され、この載置底面部７を介してベース体６を折板屋根１上に載置した際に、折板屋根１に固定された前記ルーフボルト２のパッキン付座金４とこのパッキン付座金４より上方側を挿通可能な、パッキン付座金４の直径よりやや径大な座金挿通孔15が前記下板部13と止水シート40の中心部に一つだけ設けられ（貫通形成され）ているとともに、この下板部13と上板部14の間の空間部17が、前記ルーフボルト２のパッキン付座金４より上方側を収納配設可能な収納空間部17として構成され、さらに前記芯ボルト３の上部を挿通して前記上板部14より上方へ突出配設可能な、芯ボルト３の直径よりやや径大な芯ボルト挿通孔16が前記上板部14の中心部に一つだけ設けられ（貫通形成され）ている（図２，図３，図６参照）。
【００３８】
即ち、座金挿通孔15と芯ボルト挿通孔16とが同心状に配設されており、本実施例では、この座金挿通孔15と前記収納空間部17と芯ボルト挿通孔16とが、前記挿通孔部８として構成されている。
【００３９】
パネル支持体９は、金属製であって、図１，図２に示すように、前記下板部13及び上板部14と同形状の前後方向に長さを有する天板部23の左右両端に、垂下板部24が垂設状態に連設する正断面転コ字状体に構成（一体成形）されている。
【００４０】
また、前記天板部23の中心部には、ボルト孔31を介して取付ボルト32が取付ナット33の締付により立設状態に固定されている。
【００４１】
また、この天板部23の上面には、アース板34が前記取付ナット23の締付により敷設固定されており、このアース板34の上面が、前記支持部10として構成されているとともに、このアース板34の上面には、接触突起35が多数散在状態に設けられていて、支持部10に載置支持したソーラーパネル11端部の金属フレーム部に接触突起35が喰い込み接触することで、支持部10上に並設状態に支持した二枚のソーラーパネル11同士を簡単にアース接続できるように構成されている。図中符号41はアース板34に貫通形成されているボルト通し孔である。
【００４２】
また、この天板部23の上面には、折板屋根１上での支持金具５の固定向きを報知する「軒」，「棟」の表示文字と矢印とが刻設されていて、この文字と矢印を前記アース板34に設けられている切欠窓36から作業者が確認し得るように構成されており、さらに、左右両側の前記垂下板部24の上部には、前記支持部10上に載置支持する二枚のソーラーパネル11の並設間隔を作業者に報知する「２０ｍｍ」，「４０ｍｍ」等の表示文字とともにその間隔指示線が刻設されている。
【００４３】
また、左右の前記垂下板部24のうちの一方（図１，図２，図４，図７，図８の手前側）の中ほどには、ベース体６上にパネル支持体９を装着した際に、前記ガイド孔18と連通する長孔形状の合わせ孔19が貫通形成されていると共に、この合わせ孔19は、前記ガイド孔18より長さを有して垂下板部24の棟側（後側）から軒側（前側）に至る広範囲に形成されている。
【００４４】
このパネル支持体９の前記ベース体６へのスライド移動自在な取付構造は、ベース体６の左右部にガイドレール部22が設けられ、このガイドレール部22にパネル支持体９の両側の垂下板部24の下端がスライド移動自在に装着されている。
【００４５】
更に具体的には、前記上板部14の前記立上がり板部25の付け根部分の外側面が、内向きに凹設する凹溝状に形成（一体成形）されていると共に、立上がり板部25と反対側（他側）の上板部14の側縁部付近の上面に正断面Ｌ字状のレール形成片42が上板部14の長さ方向に沿って長く形成（一体成形）されていて、このレール形成片42により上板部14の他側の上部側縁部にも内向きに凹設する凹溝部が形成されている。そして、この上板部14の左右の凹溝部が、前記ガイドレール部22として構成されている。
【００４６】
一方、パネル支持体９の左右の垂下板部24の下端の対向内側部に、このパネル支持体９の長さ方向（前後方向）に沿った長さを有するスライド凸条37が対向内側に向けて突設（一体成形）されていて、この左右のスライド凸条37を、前記ベース体６の左右のガイドレール部22にスライド移動自在に凹凸係合装着することにより、ベース体６に対しパネル支持体９が上下方向へ抜止め状態で取付けられるとともに、ベース体６に対しパネル支持体９が前後方向にスライド移動自在となるように構成されている。
【００４７】
そして、ベース体６上にパネル支持体９を装着すると、ベース体６の前記立上がり板部25に設けられている前記ガイド孔18と、パネル支持体９の一方の前記垂下板部24に設けられている前記合わせ孔19とが連通状態となり、この連通孔部に一本のガイドボルト20が貫通配設され、このガイドボルト20の先端に締付ナット21を螺着することにより、ガイドボルト20の連通孔部からの挿脱が防止されると共に、ベース体６とパネル支持体９とが分離不能状態となり、締付ナット21を締め付けることでベース体６に対しパネル支持体９がスライド移動不能状態に位置決められるように構成されている。
【００４８】
また、本実施例では、ベース体６に対しパネル支持体９を棟側にスライド移動させると、パネル支持体９が大きくスライド移動してベース体６上の前記挿通孔部８が露出することとなり、一方、軒側へはパネル支持体９のスライド量が少量に制限されるように前記ガイド孔18と合わせ孔19の形成位置及び形成範囲等が設定構成されている。
【００４９】
尚、図示していないが、ベース体６にガイドレール部22を設けず、パネル支持体９にもスライド凸条37を設けずに、ベース体６に対しパネル支持体９が前記ガイドボルト20を支点に起動回動移動自在に設けられていて、パネル支持体９をベース体６に対し起動回動することにより前記挿通孔部８が露出するような構成が採用されていても良い。
【００５０】
次に、上記のように構成した本実施例の折板屋根用ソーラーパネル取付装置を用いたソーラーパネル11の取付方法を説明する。
【００５１】
先ず、重ね式折板屋根１の軒側端部の山部の平坦頂面上に、ルーフボルト２を、その芯ボルト３を折板屋根１に貫通させると共にパッキン付座金４を折板屋根１上面に当接させて固定する。
【００５２】
次いで、図４，図５に示すように、この折板屋根１に固定されたルーフボルト２の上方から支持金具５を降下させて、ベース体６の挿通孔部８にその座金挿通孔15から折板屋根１の山部の平坦頂面上に表出しているルーフボルト２のパッキン付座金４を含む上方側を挿通し、この挿通孔部８上端部の芯ボルト挿通孔16から芯ボルト３の上部をベース体６の上方へ突出させつつベース体６の載置底面部７を折板屋根１上に載置し、支持金具５の長さ方向が折板屋根１の勾配方向に合致するようにして折板屋根１上に支持金具５を配設する。
【００５３】
この際図面では、支持金具５を、予めパネル支持体９をスライド移動させてベース体６上に挿通孔部８の芯ボルト挿通孔16を露出させた状態にしてから、挿通孔部８にルーフボルト２の上方側を挿通させた場合を示しているが、芯ボルト挿通孔16が覆われた状態の支持金具５を折板屋根１上に載置した後で、パネル支持体９をスライド移動させて芯ボルト挿通孔16とともに芯ボルト３上部をベース体６上に露出させても良い。
【００５４】
次いで、ベース体６上に露出した芯ボルト３の上部に固定ナット12を螺着して締め付けることで、ルーフボルト２に前記ベース体６を固定でき（ルーフボルト２を介して折板屋根１上に支持金具５を載置固定でき）、パネル支持体９をスライド移動させて元の状態（挿通孔部８（芯ボルト挿通孔16）並びにルーフボルト２の芯ボルト３上部がパネル支持体９で覆い隠される状態）に戻し、前記ガイドボルト20と前記締付ナット21の締付によりベース体６に対しパネル支持体９をスライド移動不能状態に位置決めする。
【００５５】
このようにして折板屋根１上に縦横に間隔を置いて本装置を多数固定する。
【００５６】
次いで、パネル支持体９の軒側と棟側の支持部10上に二枚のソーラーパネル11の棟側端部と軒側端部を支持し、この二枚のソーラーパネル11の上方から前記取付ボルト32に二枚押え込み用の押え込み金具38を押え込みナット39と共に装着し、押え込みナット39の締付操作により押え込み金具38で、二枚のソーラーパネル11を上方から押え込み固定できる（図８参照）。
【００５７】
図示していないが、パネル支持体９の支持部10上に架台を支持固定し、この架台にソーラーパネル11を固定することも可能である。
【００５８】
尚、本発明は、本実施例に限られるものではなく、各構成要件の具体的構成は適宜設計し得るものである。
【符号の説明】
【００５９】
１  折板屋根
２  ルーフボルト
３  芯ボルト
４  パッキン付座金
５  支持金具
６  ベース体
７  載置底面部
８  挿通孔部
９  パネル支持体
10  支持部
11  ソーラーパネル
12  固定ナット
13  下板部
14  上板部
15  座金挿通孔
16  芯ボルト挿通孔
17  収納空間部
18  ガイド孔
19  合わせ孔
20  ガイドボルト
21  締付ナット
【図１】
2019148075.tif 000003
【図２】
2019148075.tif 000004
【図３】
2019148075.tif 000005
【図４】
2019148075.tif 000006
【図５】
2019148075.tif 000007
【図６】
2019148075.tif 000008
【図７】
2019148075.tif 000009
【図８】
2019148075.tif 000010